(57)【要約】      （修正有）【課題】個人用に使用可能な５Ｖ程度の直流発電を行う空気発電装置を提供する。【解決手段】両足を互い違いに、又は同時に又は不連続に鞴２を踏むことにより、又は体重移動で鞴２を駆動することにより発生した圧力空気を風受けのあるドラム６に当てドラム６を回転させ、同時に発電機３を回転させるものである。空気を介しているため機械のラチェット音のような音が発生しない。また、海外の電気供給の難しい地域における家庭内発電装置としても有用である。構造が簡単で、音が少なく、安価に製造が可能であることから、多くの場所で活用が可能である。【選択図】図１
0003187667.tif 000002
【実用新案登録請求の範囲】
【請求項１】
発電機と、該発電機に接続して回転するドラムと、該ドラムの丸鋸型形状の丸鋸における刃の部分を風受けとする発電部と
前記発電部ドラムの風受けに風を供給するための鞴と、足踏みまたは体重移動で駆動する該鞴から風を送るホースと、該ホース先端に取り付けた空気吹出口からなる送風部とを備えた空気発電装置
【請求項２】
前記発電装置は、直流発電機、交流発電機のうちいずれかである１．に記載の足踏み発電装置。
【考案の詳細な説明】
【技術分野】
【０００１】  本考案は、人力による圧縮空気を利用した空気発電装置に関するものである。
【背景技術】
【０００２】  人力の各種発電装置が考案されている。自転車ペダルを漕いで発電する装置が類似の装置であるが、ペダルと発電装置はベルトやチェーン又は歯車を介して接続されているため、ペダルを漕ぎ続けなければならない。また、自転車のラチェットを活用してペダルを止めた状態でも発電機を回転させ続ける場合には自転車同様のラチェット音がに発生する。
【考案の概要】
【考案が解決しようとする課題】
【０００３】  事務机の下などに設置して活用可能な空気発電装置とする。足踏み式のミシンにおける足の仕事と同様に、上半身が行う思考や作業に殆ど影響を及ぼさず、ラチェット音のような音の発生のないものを考案する。日常の事務机を使用している人が勤務時間内に活用が可能で、送風に使用することによりエアコンの使用を抑え、携帯電話の発電を行い、自分専用のＬＥＤ照明を点灯させるなど広く応用可能で、商用電源の省エネルギーに貢献できる。また、海外に提供する家庭用の発電装置として、家族の団欒時間等において誰でも発電が可能で、思考に対して負荷が少なく、ラジオ、照明など広く実用に供する発電装置、蓄電装置とすることにより、海外におけるエネルギー問題の一部を解決しようとするものである。
【課題を解決するための手段】
【０００４】  発電機の回転主軸に直接円形のドラムを接続する。ドラムは丸鋸型で刃に相当する部分を風受けとし、空気抵抗を抑える構造とした。足踏み又は体重移動により鞴で発生した圧力空気をホースの先に設けた空気吹出口から噴出させ、ドラムを回転させ発電する。人力による圧縮空気を使用するため、鞴の動きに対してドラムの回転は空気を介して行なわれるため、鞴を止めた時、ドラムは惰性で空回りをするが、ラチェットのような音は発生しない。また、鞴をドラムの回転途中に再度踏見込んだ場合にも空気により回転中のドラムに伝えられるため、機械的な接続と比較して非常にスムーズな接続が可能となる。
すなわち、本考案は以下の通りである。
１．発電機と、該発電機に接続して回転するドラムと、該ドラムの丸鋸型形状の丸鋸における刃の部分を風受けとする発電部と
前記発電部ドラムの風受けに風を供給するための鞴と、足踏みまたは体重移動で駆動する該鞴から風を送るホースと、該ホース先端に取り付けた空気吹出口からなる送風部と
を備えた空気発電装置であって、
２．前記発電装置は、直流発電機、交流発電機のうちいずれかである１．に記載の空気発電装置。
【考案の効果】
【０００５】  本考案は、事務机の下や椅子の下又は平らな場所において足踏み又は体重移動により鞴に発生した圧力空気を利用して発電を行う空気発電装置で、ファンをつけた衣服の着用における電源装置やＬＥＤ照明の電源装置として、携帯電話の充電用電源や蓄電器充電用電源装置として使用可能で、ファンを用いれば送風により身体を冷やすことが可能となる。したがって商用電源の省エネルギーに貢献が可能である。
また、海外において電気の不足している地域の家庭におけるラジオの電源装置や、携帯電話の充電用電源装置、ＬＥＤ照明の電源装置や蓄電器充電用電源装置として使用が可能である。
静音であることや足踏み又は体重移動で鞴の駆動が可能であることにより、仕事や思考に与える影響が少なく、多くの場所で活用が考えられ、エネルギー問題の一部の解消に大いに役立つ。他の発電装置に比べ構造が簡単で、安価に製作できることから広く普及が期待できる。
【図面の簡単な説明】
【０００６】
【図１】ケースなどに収めた場合の外観と内部を示す
【図２】発電機とドラムによる発電部を示す
【図３】鞴とホース、空気吹出口による送風部を示す
【図４】ドラムの風受けと空気吹出口の位置を示す
【図５】交流発電機を使用した場合の直流への変換回路を示す
【考案を実施するための形態】
【０００７】  以下、本考案を実施形態に従って説明する。
図１のような外観と内部構造の空気発電装置となる。鞴２を踏むことによって、ホース９を通って空気吹出口８から圧力空気が出る。この空気吹出口８は４か所あり、ドラム６を一定方向に回転させる向きに取り付けられている。ドラム６には風受けがあり風を受けて回転する。ドラムの回転と同時に発電機３が回転し、交流又は直流の発電が行われる。
【０００８】  図２のように発電機３の主軸にドラム６を固定するため、発電機主軸ボルト５とドラム固定用ナット１１により挟むように固定する。
【０００９】  図３のように二対の鞴２は足踏み又は体重移動により踏み板を踏み込むことにより、伸縮部１２が収縮し、圧縮された空気はホース９を通って空気吹出口８から送出される。空気弁１３は踏み板の力を抜いた時に空気を取り入れる。
【００１０】  図４のようにドラムの４箇所の風受け７に対して４箇所の空気吹出口８を設ける。
【００１１】  図５のような回路により交流発電機を使用する場合にも直流を得ることができる。
【００１２】  本考案は、空気発電装置に関するものである。商用電源ではないが、交流６Ｖ、直流５Ｖ程度の発電が可能である。身近な所で直流５Ｖ程度を発電することができれば、ファンや照明など個人的に使用する電力の一部を負担することが可能で、使用者が多ければ多いほど大きなエネルギー対策となる。
【００１３】  本考案は、海外において電力を必要としている地域において、家庭用の照明用電源装置として、ラジオ用電源装置として、携帯電話用充電装置や蓄電器充電用発電装置に使用できることから画期的な活用が可能である。
【符号の説明】
【００１４】１  ケース、２  鞴（ふいご）、３  交流又は直流発電機、４  発電機固定用金具、５  発電機主軸ボルト、６  ドラム、７  風受け、８  空気吹出口、９  ホース、１０  基台、１１  ドラム固定用ナット、１２  伸縮部、１３  空気弁、１４  ダイオード、１５  交流入力、１６  直流出力
【図１】
0003187667.tif 000003
【図２】
0003187667.tif 000004
【図３】
0003187667.tif 000005
【図４】
0003187667.tif 000006
【図５】
0003187667.tif 000007
【手続補正書】
【提出日】平成25年9月13日(2013.9.13)
【手続補正１】
【補正対象書類名】実用新案登録請求の範囲
【補正対象項目名】請求項２
【補正方法】変更
【補正の内容】
【請求項２】
前記発電装置は、直流発電機、交流発電機のうちいずれかである請求項１に記載の空気発電装置。